(57)【要約】【課題】  光ディスクに設けられている信号記録層に記録されている信号の読み出し動作を行う光ピックアップ装置等に組み込まれるフレキシブル配線基板に関する。【解決手段】  フレキシブル配線基板３の半田用端子配置部の裏面に両面テープを貼付した後、該両面テープを印刷配線基板１に貼付させた状態にて半田付けを行うことによって前記フレキシブル配線基板３に設けられている半田用端子５と前記印刷配線基板１に設けられている半田用ランド２との半田付けを行うように構成されたフレキシブル配線基板３であり、前記両面テープを半田用端子５が形成されている半田用端子配置部だけでなく該半田用端子配置部からフレキシブル配線基板３を構成する接続延長部に亘る部分まで貼付する。【選択図】  図１
2011204315.tif 000002
【特許請求の範囲】
【請求項１】
印刷配線基板に連設されている複数の半田用ランドに半田付けされる複数の半田用端子が半田用端子配置部に印刷配線にて設けられているフレキシブル配線基板の前記半田用端子配置部の裏面に両面テープを貼付した後、該両面テープを前記印刷配線基板に貼付させた状態にて半田付けを行うことによって前記フレキシブル配線基板に設けられている半田用端子と前記印刷配線基板に設けられている半田用ランドとの半田付けを行うように構成されたフレキシブル配線基板であり、前記両面テープを半田用端子が形成されている半田用端子配置部だけでなく該半田用端子配置部からフレキシブル配線基板を構成する接続延長部に亘る部分まで貼付するようにしたことを特徴とするフレキシブル配線基板。
【請求項２】
両面テープが貼付される接続延長部の幅を半田用端子配置部の幅より広くしたことを特徴とする請求項１に記載のフレキシブル配線基板。
【請求項３】
接続延長部に延長方向に延びた長孔を形成したことを特徴とする請求項２に記載のフレキシブル配線基板。
【発明の詳細な説明】
【技術分野】
【０００１】
本発明は、光ディスクに記録されている信号の読み出し動作をレーザー光によって行うように構成されている光ピックアップ装置に使用されるフレキシブル配線基板に関する。
【背景技術】
【０００２】
光ピックアップ装置から照射されるレーザー光を光ディスクに設けられている信号記録層に照射させるとともに該信号記録層から反射されるレーザー光を利用することによって信号の再生動作や信号の記録動作を行うことが出来る光ディスク装置が普及している。
【０００３】
光ディスク装置としては、ＣＤ規格の光ディスクやＤＶＤ規格の光ディスクを使用するものが一般に普及しているが、最近では記録密度を向上させた光ディスク、即ちＢｌｕ−ｒａｙ規格の光ディスクを使用するものが製品化されている。
【０００４】
光ピックアップ装置は、レーザーダイオードから放射されるレーザー光を対物レンズの集光動作によって光ディスクに設けられている信号記録層に集光させるとともに該信号記録層から反射されるレーザー光である戻り光を光検出器に照射させるように構成されている。即ち、光検出器に組み込まれている４分割センサー等に照射されるレーザー光の光量変化や位置の変化に伴って得られる信号からフォーカスエラー信号やトラッキングエラー信号を生成し、これらの信号を利用して対物レンズの変位位置を制御することによって光ディスクに記録されている信号の読み出し動作等を行うように構成されている。
【０００５】
光ピックアップ装置において、光検出器から得られる検出信号を各種の制御回路が組み込まれている印刷配線基板に導く手段として半田用端子や信号路が印刷配線技術にて設けられているフレキシブル配線基板が多く採用されている。(特許文献１参照。)
また、最近では、ＣＤ規格及びＤＶＤ規格の光ディスクに記録されている信号の読み出し動作だけでなくＢｌｕ−ｒａｙ規格の光ディスクに記録されている信号の読み出し動作を１つの光ピックアップ装置にて行うことが出来るように構成された光ピックアップ装置が製品化されている。
【０００６】
斯かる規格が異なる光ディスクに記録されている信号の読み出し動作を行うことが出来るように構成された光ピックアップ装置は、異なる波長のレーザー光を放射する複数のレーザーダイオードや複数の光検出器が組み込まれるので、各制御回路が組み込まれた印刷配線基板と各部品とを接続するフレキシブル配線基板に設けられる配線パターンの数が多くなる。(特許文献２参照。)
【先行技術文献】
【特許文献】
【０００７】
【特許文献１】特開平５−５４４１８号公報
【特許文献２】特開２００８−２５７８２２号公報
【発明の概要】
【発明が解決しようとする課題】
【０００８】
特許文献２に記載されているフレキシブル配線基板には複数のランドが連設されているとともに該フレキシブル配線基板の撓み動作を支障なく行うために延長方向に延びた長孔が形成されている。
【０００９】
また、フレキシブル配線基板に形成されている半田用端子を印刷配線基板に設けられて
いる半田用ランドに半田付けする場合フレキシブル配線基板の裏面に両面テープを貼付した後該両面テープを印刷配線基板に貼付させた状態にて半田付けするようにされている。即ち、前述した両面テープによってフレキシブル配線基板を印刷配線基板上に仮止めした状態にて半田付けするようにされている。斯かる仮止めを利用した半田付け作業は前述した特許文献１にも記載されている。
【００１０】
印刷配線基板に連設されている半田用ランドとフレキシブル配線基板に設けられている半田用端子とを半田付けする動作は両面テープによる仮止めを行うことによって行われるが、従来では半田用端子が形成されている部分の裏面のみに両面テープを貼付させるようにされていた。
【００１１】
斯かる構成では、光ピックアップ装置の組立作業時にフレキシブル配線基板を撓ませる作業を行うと半田用端子の中の延長部に近い位置にある半田用端子の部分に大きな変位力が働きその部分が断裂するという問題が発生している。
【００１２】
本発明は、斯かる問題を解決することが出来るフレキシブル配線基板を提供しようとするものである。
【課題を解決するための手段】
【００１３】
本発明は、印刷配線基板に連設されている複数の半田用ランドに半田付けされる複数の半田用端子が半田用端子配置部に印刷配線にて設けられているフレキシブル配線基板の前記半田用端子配置部の裏面に両面テープを貼付した後、該両面テープを前記印刷配線基板に貼付させた状態にて半田付けを行うことによって前記フレキシブル配線基板に設けられている半田用端子と前記印刷配線基板に設けられている半田用ランドとの半田付けを行うように構成されたフレキシブル配線基板において、前記両面テープを半田用端子が形成されている半田用端子配置部だけでなく該半田用端子配置部からフレキシブル配線基板を構成する接続延長部に亘る部分まで貼付するようにしたことを特徴とするものである。
【００１４】
また、本発明は、両面テープが貼付される接続延長部の幅を半田用端子配置部の幅より広くしたことを特徴とするものである。
【００１５】
そして、本発明は、接続延長部に延長方向に延びた長孔を形成したことを特徴とするものである。
【発明の効果】
【００１６】
本発明のフレキシブル配線基板は、印刷配線基板に連設されている複数の半田用ランドに半田付けされる複数の半田用端子が半田用端子配置部に印刷配線にて設けられているフレキシブル配線基板の前記半田用端子配置部の裏面に両面テープを貼付した後、該両面テープを前記印刷配線基板に貼付させた状態にて半田付けを行うことによって前記フレキシブル配線基板に設けられている半田用端子と前記印刷配線基板に設けられている半田用ランドとの半田付けを行うように構成されたフレキシブル配線基板において、前記両面テープを半田用端子が形成されている半田用端子配置部だけでなく該半田用端子配置部からフレキシブル配線基板を構成する接続延長部に亘る部分まで貼付するようにしたので、光ピックアップ装置の組立作業時にフレキシブル配線基板の接続延長部を撓ませても半田用端子部に大きな力が加わることはない。従って、本発明のフレキシブル配線基板によれば、光ピックアップ装置の組立時にフレキシブル配線基板の半田付け部分において断裂することを防止することが出来る。
【図面の簡単な説明】
【００１７】
【図１】本発明に係るフレキシブル配線基板を印刷配線基板に仮止めした状態を示す平面図である。
【図２】本発明に係るフレキシブル配線基板の平面図である。
【図３】本発明に係るフレキシブル配線基板の裏面図である。
【発明を実施するための形態】
【００１８】
光ピックアップ装置の制御動作を行う制御回路が組み込まれている印刷配線基板に設けられている半田用ランドと光ディスクに設けられている信号記録層から反射されるレーザー光である戻り光が照射される光検出器等とを電気的に接続するフレキシブル配線基板に設けられている半田用端子とを半田付けする場合に使用される両面テープの貼付範囲を工夫したものである。
【実施例１】
【００１９】
図１において、１は光ピックアップ装置に組み込まれる印刷配線基板であり、光ピックアップ装置の各種制御動作を行う制御回路を構成する電子部品が組み込まれる印刷配線パターンが形成されているとともに複数の半田用ランド２が図示したように連設して配置されている。
【００２０】
３は前記印刷配線基板１と光ピックアップ装置に組み込まれている光検出器等(図示せず)とを電気的に接続するフレキシブル配線基板であり、図示したように配線パターン４及び前記印刷配線基板１に形成されている半田用ランド２と対応する位置に半田用端子５が印刷配線技術にて形成されている。
【００２１】
前記フレキシブル配線基板３は図２に示すように前記半田用端子５が形成されている半田用端子配置部Ｈと光検出器等と接続する配線パターン４が配置されている接続延長部Ｓとより構成されている。また、前記接続延長部Ｓにはフレキシブル配線基板３の撓み動作を支障なく行うことが出来るように該接続延長部Ｓの延長方向に延びる長孔６が形成されている。
【００２２】
そして、前記フレキシブル配線基板３を構成する半田用端子配置部Ｈの幅Ｗ１に対して接続延長部Ｓの幅Ｗ２は、Ｗ２＞Ｗ１の関係になるように構成されている。また、図２において、フレキシブル配線基板３に形成されている配線パターン４の中の前記半田用端子５を除く部分(破線の斜線を付している部分)には絶縁作用を成すレジスト膜が塗布されている。
【００２３】
前述したように本発明に係る印刷配線基板１及びフレキシブル配線基板３は構成されているが、次にフレキシブル配線基板３に設けられている半田用端子５を印刷配線基板１に形成されている半田用ランド２に半田付けする動作について説明する。
【００２４】
フレキシブル配線基板３に設けられている半田用端子５を印刷配線基板１に形成されている半田用ランド２に半田付けする動作は、図１に示すようにフレキシブル配線基板３に設けられている半田用端子５を印刷配線基板１に形成されている半田用ランド２に対応する位置に仮止めした状態にて行われる。斯かる仮止め状態にて半田付け動作が行われるが、図１において半田付けされた一部をＰで示している。
【００２５】
フレキシブル配線基板３に設けられている半田用端子５を印刷配線基板１に形成されている半田用ランド２に対応する位置に仮止めする動作は、前記フレキシブル配線基板３の半田用端子５が設けられている半田用端子配置部Ｈの裏面に両面テープ７を貼付し、該両面テープ７の反対側の面を前記印刷配線基板１の配線側の基板面に貼付することによって行われるが、本発明では、図３の斜線で示す範囲に両面テープ７を貼付するように構成されている。
【００２６】
図３の斜線にて示すように本発明は、仮止め作用を成す両面テープ７を貼付する範囲を半田用端子５が形成されている半田用端子配置部Ｈの範囲だけでなく接続延長部Ｓの範囲に亘るようにしたことを特徴とするものである。斯かる両面テープ７は印刷配線基板１に形成されている半田用ランド２に対するフレキシブル配線基板３に設けられている半田用端子５の半田付け作業時には仮止め用の接着テープとして作用するが、半田付け作業が終了した時点においても印刷配線基板１の基板面に対してフレキシブル配線基板３の裏面を接着固定する手段として作用することになる。
【００２７】
従って、本発明のフレキシブル配線基板３では、半田用端子５が設けられている半田用端子配置部Ｈの裏面だけでなく接続用の配線パターン４が形成されている接続延長部Ｓの裏面が両面テープ７の接着力によって印刷配線基板１の基板面に接着された状態になる。このように接続用の配線パターン４が形成されている接続延長部Ｓの裏面が両面テープ７の接着力によって印刷配線基板１の基板面に接着された状態になるので、光ピックアップ装置の組立時にフレキシブル配線基板３の接続延長部Ｓに撓み力が作用しても半田用端子５が設けられている半田用端子配置部Ｈに変形力が作用することはない。それ故、本発明のフレキシブル配線基板３では、半田用端子５の部分に大きな力が作用しないので半田付けされた部分が断裂するという問題が発生することはない。
【００２８】
尚、本実施例では、フレキシブル配線基板３を構成する半田用端子配置部Ｈの幅Ｗ１に対して接続延長部Ｓの幅Ｗ２が、Ｗ２＞Ｗ１の関係にあるフレキシブル配線基板３に実施した場合について説明したが、Ｗ２＝Ｗ１またはＷ２＜Ｗ１の関係にあるフレキシブル配線基板３であっても両面テープ７を貼付する範囲を広くすることによって同様の効果を得ることは出来る。
【産業上の利用可能性】
【００２９】
本実施例では、両面テープ７によって印刷配線基板１に対するフレキシブル配線基板３の仮止めを行うようにしたが、接着剤等を利用して仮止めを行うように構成することも出来る。
【符号の説明】
【００３０】
１      印刷配線基板
２      半田用ランド
３      フレキシブル配線基板
４      配線パターン
５      半田用端子
６      長孔
７      両面テープ
【図１】
2011204315.tif 000003
【図２】
2011204315.tif 000004
【図３】
2011204315.tif 000005